(57)【要約】      （修正有）【課題】搭乗する際の正確な足の位置や向きを一人で学習し習得できるボード、およびスケートボードを提供する。【解決手段】スケートボード１００が備えるボード本体１１０の表面１１２に設けられた位置表示部１３０において、プッシュ＆ストップ表示部１３１がプッシュ時の足の位置および向きを示し、右足グーフィー表示部１３２がグーフィースタンス時の右足の位置および向きを示し、左足テールスタンス表示部１３３がグーフィースタンス時の左足の位置および向きを示す。【選択図】図１
0003221298.tif 000002
【実用新案登録請求の範囲】
【請求項１】
陸上、水上、雪上、または空中で足を固定せずに搭乗する利用者の移動を目的とした板状のボードにおいて、
利用者が搭乗する際に前記利用者と前記ボードとが接する位置および向きを示す位置表示部、
を備えることを特徴とするボード。
【請求項２】
前記位置表示部は、
前記利用者の足と前記ボードとが接する位置および向きを示す足位置表示部であること、
を特徴とする請求項１記載のボード。
【請求項３】
前記足位置表示部は、
前記利用者の右足と左足とを識別可能に表示されること、
を特徴とする請求項２記載のボード。
【請求項４】
前記位置表示部は、
前記利用者が前記ボードに搭乗する搭乗姿勢によって他の搭乗姿勢と識別できる色である搭乗姿勢識別色で表示されることを特徴とする請求項１記載のボード。
【請求項５】
前記搭乗姿勢の名称を示す名称表示部、
を備えることを特徴とする請求項４記載のボード。
【請求項６】
前記名称表示部は、
前記搭乗姿勢識別色毎に合わせた同一の色で表示されることを特徴とする請求項５記載のボード。
【請求項７】
板状のボード本体下面に一対の車輪が設けられたスケートボードにおいて、
利用者が搭乗する際に前記利用者と前記ボード本体とが接する位置および向きを示す位置表示部、
を備えることを特徴とするスケートボード。
【考案の詳細な説明】
【技術分野】
【０００１】
本考案は、ボード、およびスケートボードに関し、特に陸上、水上、雪上、または空中で足を固定せずに搭乗する利用者の移動を目的とした板状のボード、およびスケートボードに関する。
【背景技術】
【０００２】
従来から、複数の車輪を備えた一枚の板状のボードに足を乗せて、陸上を移動するスポーツとしてスケートボードが知られている（たとえば、特許文献１参照）。またスケートボードと同じように、一枚の板状のボードに足を乗せて海などの水上で波が形成する斜面を滑走するサーフィン、雪の斜面を滑るスノーボードでは通常両足を固定して乗るものであるが、ボードに足を固定せずに雪上をサーフィンのように乗るバインディングフリーと呼ばれるスノーボードなどのスポーツも知られている。
【０００３】
またこれらの板状のボードを使ったスポーツでは、手を使わずにボードの末端部分を叩くことでボードを跳ね上がらせてボードと一緒に空中に浮く「オーリー」や、ボードの先端部分を叩くことでボードを跳ね上がらせてボードと一緒に空中に浮く「ノーリー」などの様々な技があり、このような技を身につけることも、これらのスポーツの魅力の１つである。
【先行技術文献】
【特許文献】
【０００４】
【特許文献１】特表２０１１−５１６１８５
【考案の概要】
【考案が解決しようとする課題】
【０００５】
しかし、上記のようなボードに足を固定せずに乗るスポーツは、非常に不安定であり、バランスを取るのが難しく、初心者にとって転倒することなく乗れるようになるまでには多くの時間がかかるという問題があった。
【０００６】
例えば、スケートボードにおいて基本的な技であるプッシュという技がある。プッシュは、後ろ足で地面を蹴り、自分と自分が乗ったスケートボードとを前進させる動作であるが、後ろ足で地面を蹴る際にボード上には片足しか乗っていない時間が発生するため、バランスを崩しやすく、ボード上の正確な位置や向きに足を乗せていないと転倒する可能性がある。
【０００７】
しかも、スケートボードでは足とボードとが固定されていないため、ボード上の様々な位置で足を置くことができる。このため間違った位置に足を置いてしまうと、バランスが取りづらくなり、転倒に繋がる恐れがある。このように転倒を繰り返すと、怪我が多くなり、途中で脱落する初心者が増加してしまう。
【０００８】
正しい足の位置を学習するためには、経験者などに正しい足の位置や向きを教えてもらうことが考えられる。しかし、ボード上の様々な位置で足を置くことができるボード上では、自分だけで練習する際に経験者に教えてもらった正しい足の位置を再現するのは難しく、結局何度も練習して正確な足の位置や向きを経験や感覚で習得するしかなかった。
【０００９】
本考案はこのような点に鑑みてなされたものであり、搭乗する際の正確な足の位置や向きを一人で学習し習得できるボード、およびスケートボードを提供することを目的とする。
【課題を解決するための手段】
【００１０】
本考案では上記問題を解決するために、陸上、水上、雪上、または空中で足を固定せずに搭乗する利用者の移動を目的とした板状のボードにおいて、利用者が搭乗する際に前記利用者と前記ボードとが接する位置および向きを示す位置表示部を備えることを特徴とするボードが提供される。
これにより、位置表示部が、利用者が搭乗する際に利用者とボードとが接する位置および向きを示す。
【００１１】
また本考案では、板状のボード本体下面に一対の車輪が設けられたスケートボードにおいて、利用者が搭乗する際に前記利用者と前記ボード本体とが接する位置および向きを示す位置表示部を備えることを特徴とするスケートボードが提供される。
これにより、位置表示部が、利用者が搭乗する際に利用者とボードとが接する位置および向きを示す。
【考案の効果】
【００１２】
本考案のボード、およびスケートボードによれば、位置表示部が、利用者が搭乗する際に利用者とボードとが接する位置および向きを示すので、位置表示部が示す位置および向きに合わせて利用者が乗ることで、搭乗する際の正確な足の位置や向きを一人で学習し習得することができる。
【図面の簡単な説明】
【００１３】
【図１】本実施の形態に係るスケートボード全体を示す上面図および下面図である。
【図２】前側の位置表示部の詳細を示す上面図である。
【図３】後側の位置表示部の詳細を示す上面図である。
【図４】スケートボードにユーザーが足を乗せた状態を示す上面図である。
【考案を実施するための形態】
【００１４】
以下、本考案の実施の形態を、図面を参照して詳細に説明する。
図１は、本実施の形態に係るスケートボード全体を示す上面図および下面図である。
図１に示すように、スケートボード１００は、ボード本体１１０、車輪機構１２０、および位置表示部１３０を備えている。
【００１５】
ボード本体１１０は、ユーザーＵが乗る木材や合成樹脂などによって形成された板状体であり、裏面１１１と表面１１２とで構成される。
車輪機構１２０は、ボード本体１１０の裏面１１１に取付けられ、車軸１２１を収納している一対のトラック部１２２と、車軸１２１の両側に取付けられた車輪部１２３とで構成される。
【００１６】
位置表示部１３０は、ボード本体１１０の表面１１２に設けられ、ユーザーＵがスケートボード１００に乗る際にユーザーＵの足をボード本体１１０に乗せる正確な位置や向きを示すためのものである。
【００１７】
位置表示部１３０は、プッシュ＆ストップ表示部１３１、右足グーフィー表示部１３２、左足テールスタンス表示部１３３、左足キックターン表示部１３４、左足レギュラー表示部１３５、右足テールスタンス表示部１３６、および右足キックターン表示部１３７を備えている。
【００１８】
プッシュ＆ストップ表示部１３１は、例えば、ユーザーＵがスケートボード１００に一方の足を乗せた状態で他方の足で地面を蹴って前へ進む場合に、スケートボード１００と一方の足とが接触する正確な足の位置および向きを示すためのものであり、さらに具体的には、ボード本体１１０の表面１１２の中央部から前側に位置した部分で、ボード本体１１０の長手方向に沿って靴底形状の表示が施されている。
【００１９】
ユーザーＵが、プッシュ動作を行う際には、ユーザーＵの左足をプッシュ＆ストップ表示部１３１が示す靴底形状の表示位置に合わせて左足をボード本体１１０に乗せ、右足で地面を蹴る。
【００２０】
プッシュ＆ストップ表示部１３１は、常にボード本体１１０上で、プッシュ動作を行う際の正確な位置や向きを示しているので、ユーザーＵは、このプッシュ＆ストップ表示部１３１が示す位置および向きに合わせて足を乗せるだけで、プッシュ動作の正確な足の位置や向きを一人で習得することができる。
【００２１】
右足グーフィー表示部１３２は、例えば、ユーザーＵがスケートボード１００に両足で乗って立ち上がった際に右足が前にくるグーフィースタンスで乗る場合に、スケートボード１００とユーザーＵの右足とが接触する正確な右足の位置および向きを示すためのものであり、さらに具体的には、ボード本体１１０の表面１１２の中央部から前側に位置した前側の車輪機構１２０の表面１１２付近で、ボード本体１１０の短手方向に沿って、つま先がやや前側に向いた方向で右足の靴底形状のデザインが施されている。
【００２２】
左足テールスタンス表示部１３３は、例えば、ユーザーＵがグーフィースタンスで乗る場合に、スケートボード１００とユーザーＵの左足とが接触する正確な左足の位置および向きを示すためのものであり、さらに具体的には、ボード本体１１０の表面１１２の中央部から後側に位置した後側の車輪機構１２０の表面１１２付近で、ボード本体１１０の短手方向に沿って、つま先がやや前側に向いた方向で左足の靴底形状の表示が施されている。
【００２３】
上記の右足グーフィー表示部１３２および左足テールスタンス表示部１３３のように、靴底形状の表示を右足の靴底形状、左足の靴底形状のように左右の足の形状に合わせて表示することで、右足をどこに置くべきなのか、または左足をどこに置くべきかをユーザーＵは簡単に識別することができる。
【００２４】
ユーザーＵは、右足を右足グーフィー表示部１３２、左足を左足テールスタンス表示部１３３の位置および向きに合わせて足を乗せるだけで、ユーザーＵはグーフィースタンスで乗る正しい足の位置および向きを習得することができ、かつバランス良く安全にスケートボード１００に乗ることができる。
【００２５】
左足キックターン表示部１３４は、例えば、ユーザーＵがプッシュ動作を使わずに、スケートボード１００の前側先端を左右に振ることで前進する技であるチックタック動作で前進する場合に、スケートボード１００とユーザーＵの左足とが接触する正確な左足の位置および向きを示すためのものであり、さらに具体的には、ボード本体１１０の表面１１２の後端部で、ボード本体１１０の短手方向に沿って、つま先がやや前側に向いた方向で右足の靴底形状のデザインが施されている。
【００２６】
ユーザーＵは、右足を右足グーフィー表示部１３２、左足を左足キックターン表示部１３４の位置および向きに合わせて足を乗せてスケートボード１００の前側先端を左右に振ることで、ユーザーＵはチックタック動作で前進する際に正しい足の位置および向きを習得することができ、かつバランス良く安全にスケートボード１００に乗ることができる。
【００２７】
なお、右足グーフィー表示部１３２、左足テールスタンス表示部１３３、および左足キックターン表示部１３４は、共にグーフィースタンスにおける足の位置および向きを示すための位置表示部１３０であり、例えば右足グーフィー表示部１３２、左足テールスタンス表示部１３３、および左足キックターン表示部１３４を黄色、プッシュ＆ストップ表示部１３１を赤色とスタンス毎に色を同一して表示することで、他のスタンスの位置表示部１３０と区別させることができる。
【００２８】
左足レギュラー表示部１３５は、例えば、ユーザーＵがスケートボード１００に両足で乗って立ち上がった際に左足が前にくるレギュラースタンスで乗る場合に、スケートボード１００とユーザーＵの左足とが接触する正確な左足の位置および向きを示すためのものであり、さらに具体的には、ボード本体１１０の表面１１２の中央部から前側に位置した前側の車輪機構１２０の表面１１２付近で、ボード本体１１０の短手方向に沿って、つま先がやや前側に向いた方向で左足の靴底形状のデザインが施されている。
【００２９】
右足テールスタンス表示部１３６は、例えば、ユーザーＵがレギュラースタンスで乗る場合に、スケートボード１００とユーザーＵの右足とが接触する正確な右足の位置および向きを示すためのものであり、さらに具体的には、ボード本体１１０の表面１１２の中央部から後側に位置した後側の車輪機構１２０の表面１１２付近で、ボード本体１１０の短手方向に沿って、つま先がやや前側に向いた方向で右足の靴底形状の表示が施されている。
【００３０】
ユーザーＵは、左足を左足レギュラー表示部１３５、右足を右足テールスタンス表示部１３６の位置および向きに合わせて足を乗せるだけで、ユーザーＵはレギュラースタンスで乗る正しい足の位置および向きを習得することができ、かつバランス良く安全にスケートボード１００に乗ることができる。
【００３１】
右足キックターン表示部１３７は、例えば、ユーザーＵがチックタック動作で前進する場合に、スケートボード１００とユーザーＵの右足とが接触する正確な左足の位置および向きを示すためのものであり、さらに具体的には、ボード本体１１０の表面１１２の後端部で、ボード本体１１０の短手方向に沿って、つま先がやや前側に向いた方向で右足の靴底形状のデザインが施されている。
【００３２】
ユーザーＵは、左足を左足レギュラー表示部１３５、右足を右足キックターン表示部１３７の位置および向きに合わせて足を乗せてスケートボード１００の前側先端を左右に振ることで、ユーザーＵはチックタック動作で前進する際に正しい足の位置および向きを習得することができ、かつバランス良く安全にスケートボード１００に乗ることができる。
【００３３】
なお、左足レギュラー表示部１３５、右足テールスタンス表示部１３６、および右足キックターン表示部１３７は、共にレギュラースタンスにおける足の位置および向きを示すための位置表示部１３０であり、例えば左足レギュラー表示部１３５、右足テールスタンス表示部１３６、および右足キックターン表示部１３７を青色、右足グーフィー表示部１３２、左足テールスタンス表示部１３３、および左足キックターン表示部１３４を黄色、プッシュ＆ストップ表示部１３１を赤色とスタンス毎に色をスタンス毎に同一して表示することで、他のスタンスの位置表示部１３０と区別させることができる。
【００３４】
図２は、前側の位置表示部の詳細を示す上面図である。
図２に示すように、前側の位置表示部１３０は、プッシュ＆ストップ表示部１３１、右足グーフィー表示部１３２、および左足レギュラー表示部１３５が表示されている。
【００３５】
プッシュ＆ストップ表示部１３１が示す靴底形状の表示付近には、「ＰＵＳＨ＆ＳＴＯＰ」というプッシュ＆ストップ表示部１３１に関連づけられたスタンスを示す名称表示部１３１Ａが表示されている。なおプッシュ＆ストップ表示部１３１と名称表示部１３１Ａとは、例えば同じ赤色などの同一の色を用いることで、互いの関連性を示したり、審美性を向上させたりすることができる。
【００３６】
また右足グーフィー表示部１３２が示す靴底形状の表示付近には、「ＧＯＯＦＹ」という右足グーフィー表示部１３２に関連づけられたスタンスを示す名称表示部１３２Ａ、左足レギュラー表示部１３５が示す靴底形状の表示付近には、「ＲＥＧＵＬＡＲ」という左足レギュラー表示部１３５に関連づけられたスタンスを示す名称表示部１３５Ａが表示されている。
【００３７】
右足グーフィー表示部１３２と名称表示部１３２Ａ、および左足レギュラー表示部１３５と名称表示部１３５Ａとは、例えば右足グーフィー表示部１３２と名称表示部１３２Ａとが黄色、左足レギュラー表示部１３５と名称表示部１３５Ａとが青色などの同一の色を用いることで、互いの関連性を示したり、審美性を向上させたりすることができる。
【００３８】
このように、異なるスタンスにおける足の位置および向きが同じ付近に重なっていても、互いのスタンスの色を変えることで、ユーザーＵは正確に各スタンスを識別することができる。
【００３９】
なお、位置表示部１３０は、色をボード本体１１０に表示するだけでなく、識別可能な異なる色で染色されたデッキテープなどと呼ばれる紙ヤスリ状の滑り止めテープをボード本体１１０に貼付することもできる。
【００４０】
図３は、後側の位置表示部の詳細を示す上面図である。
図３に示すように、後側の位置表示部１３０は、左足テールスタンス表示部１３３、左足キックターン表示部１３４、右足テールスタンス表示部１３６、および右足キックターン表示部１３７が表示されている。
【００４１】
左足テールスタンス表示部１３３および右足テールスタンス表示部１３６は、グーフィースタンスまたはレギュラースタンスで乗る場合の、スケートボード１００とユーザーＵの右足とが接触する正確な右足または左足の位置および向きを示す靴底形状の表示であるが、靴底全体の形状を表示するだけでなく、図３のように靴底の一部分のみを表示することもできる。
【００４２】
これにより左足テールスタンス表示部１３３と右足テールスタンス表示部１３６とが重なる部分が軽減され、左足テールスタンス表示部１３３と右足テールスタンス表示部１３６との識別力を向上させることができる。
【００４３】
また、左足テールスタンス表示部１３３および右足テールスタンス表示部１３６が示す靴底形状の表示付近には、「ＴＡＩＬＳＴＡＮＣＥ」という左足テールスタンス表示部１３３および右足テールスタンス表示部１３６に関連づけられたスタンスを示す名称表示部１３３Ａおよび１３６Ａが表示されている。
【００４４】
名称表示部１３３Ａおよび１３６Ａは、同一の色で表示することもできるが、図３のように隣接する左足テールスタンス表示部１３３および右足テールスタンス表示部１３６の表示色に合わせて表示することで、審美性を向上することができる。
【００４５】
具体的には、左足テールスタンス表示部１３３が黄色で表示されている場合には、名称表示部１３３Ａの「ＴＡＩＬ」部分を黄色、右足テールスタンス表示部１３６が青色で表示されている場合には、名称表示部１３６Ａの「ＳＴＡＮＣＥ」部分を青色というように、色を合わせて表示することで審美性が向上する。
【００４６】
左足キックターン表示部１３４および右足キックターン表示部１３７は、グーフィースタンスまたはレギュラースタンスのチックタック動作等で、スケートボード１００とユーザーＵの右足とが接触する正確な右足または左足の位置および向きを示す靴底形状の表示であるが、こちらも靴底全体の形状を表示するだけでなく、図３のように靴底の一部分のみを表示することもできる。
【００４７】
また、左足キックターン表示部１３４および右足キックターン表示部１３７が示す靴底形状の表示付近には、「ＫＩＣＫＴＵＲＮ」という左足キックターン表示部１３４および右足キックターン表示部１３７に関連づけられたスタンスを示す名称表示部１３４Ａおよび１３７Ａが表示されている。
【００４８】
こちらも左足キックターン表示部１３４が黄色で表示されている場合には、名称表示部１３４Ａの「ＫＩＣＫ」部分を黄色、右足キックターン表示部１３７が青色で表示されている場合には、名称表示部１３７Ａの「ＴＵＲＮ」部分を青色というように、色を合わせて表示することで審美性が向上する。
【００４９】
なお、位置表示部１３０は、色をボード本体１１０に表示するだけでなく、識別可能な異なる色で染色されたデッキテープなどと呼ばれる紙ヤスリ状の滑り止めテープをボード本体１１０に貼付することもできる。
【００５０】
図４は、スケートボードにユーザーが足を乗せた状態を示す上面図である。
図４に示すように、ボード本体１１０の裏面１１１に表示された位置表示部１３０に合わせてユーザーＵの足を乗せるだけで、正しい足の位置および向きを習得することができる。
【００５１】
具体的に図４では、グーフィースタンスで使用する際の正しい足の位置である右足グーフィー表示部１３２にユーザーＵの右足であるＵ−ＦＲ、またグーフィースタンスで使用する際の正しい足の位置である左足テールスタンス表示部１３３にユーザーＵの←足であるＵ−ＦＬが乗せられている。
【００５２】
右足グーフィー表示部１３２と左足テールスタンス表示部１３３とは黄色などの同じ色で表示されているので、ユーザーＵはボード本体１１０の表面１１２に表示された位置表示部１３０に複数表示された靴底表示から的確に合わせるべき位置表示部１３０を選択することができる。これにより、容易に正確な足の位置や向きを一人で学習できる。
【００５３】
また本実施の形態では、ボード本体１１０の裏面１１１に表示された位置表示部１３０に靴底形状の表示で示したが、この他、スケートボードの技によって手の位置などを手の形状などで表示することもできる。
【００５４】
また本実施の形態では、位置表示部１３０をスケートボード１００の表面１１２に設けたが、スケートボードの他スノーボードに使用するボード、サーフィンに使用するボードなどに位置表示部１３０を設け、正確な手や足の位置や向きを一人で習得できるようにしてもよい
【符号の説明】
【００５５】
１００  スケートボード
１１０  ボード本体
１１１  裏面
１１２  表面
１２０  車輪機構
１２１  車軸
１２２  トラック部
１２３  車輪部
１３０  位置表示部
１３１  ストップ表示部
１３１Ａ、１３２Ａ、１３３Ａ、１３４Ａ、１３５Ａ、１３６Ａ、１３７Ａ  名称表示部
１３２  右足グーフィー表示部
１３３  左足テールスタンス表示部
１３４  左足キックターン表示部
１３５  左足レギュラー表示部
１３６  右足テールスタンス表示部
１３７  右足キックターン表示部
Ｕ  ユーザー
【図１】
0003221298.tif 000003
【図２】
0003221298.tif 000004
【図３】
0003221298.tif 000005
【図４】
0003221298.tif 000006